(57)【要約】【課題】比較的安価に商品を包装する。【解決手段】商品窓２Ａを有する表枠体２の内がわ面に上記商品窓２Ａを覆うようにフィルム４が被せられる。包装される商品５の外形に沿う形状の押込みプラグ31Ｂを上記表枠体２の内がわから外がわに向けて上記商品窓２Ａを通して押込むことにより，上記商品５の外形に沿うフィルムのポケットＰが上記商品窓２Ａから外方に突出するようにして形成される。その後，上記表枠体２の枠部の内がわ面に上記フィルム４の周縁部が接着される。上記フィルム４のポケットＰ内に商品５を入れ，裏パネル体３を上記表枠体２の内がわ面に重ね合わせて固定することで，商品５の包装が完成する。【選択図】図５
2014129114.tif 000002
【特許請求の範囲】
【請求項１】
商品窓を有する表枠体の内がわ面に，上記商品窓を覆うようにフィルムを被せ，
包装される商品の外形に沿う形状の押込み型を用いてまたは包装される商品自体を用いて，上記商品窓を覆うフィルムを上記表枠体の内がわから外がわに向けて上記商品窓を通して押込むことにより，上記商品窓から外方に突出する上記商品の外形に沿うフィルムの収納部を形成し，
収納部が形成された上記フィルムの周縁部を上記表枠体の枠部の内がわ面に接着し，
上記収納部内に商品を入れ，
裏パネル体を上記表枠体の内がわ面に重ね合わせて固定する，
商品の包装方法。
【請求項２】
上記フィルムの押込みに用いられる上記押込み型または上記包装される商品の外側周囲にフィルム押さえ部材を配置し，上記商品窓を通して上記フィルムを押込むときの上記フィルムの周縁部の立ち上がりを阻止する，
請求項１に記載の商品の包装方法。
【請求項３】
上記裏パネル体が上記表枠体の一側に折り線を介してつながっており，
上記裏パネル体を上記折り線の位置で内がわに折畳むことにより，上記裏パネル体を上記表枠体の内がわ面に重ね合わせる，
請求項１または２に記載の商品の包装方法。
【請求項４】
包装される商品の厚さと同程度の深さの収納部を形成する，
請求項１から３のいずれか一項に記載の商品の包装方法。
【請求項５】
上記フィルムを超えるサイズを有するフィルムシートを供給し，
上記フィルムシートに上記商品窓を覆うように被せられる上記フィルムの周縁に沿う間欠的な切込みを形成し，
上記押込み型または上記包装される商品を上記商品窓を通して押込むときに，上記フィルムシートから上記フィルムを打ち抜く，
請求項１から４のいずれか一項に記載の商品の包装方法。
【請求項６】
第１の商品窓を有する表枠体の内がわ面に，上記第１の商品窓を覆うように第１のフィルムを被せ，
第２の商品窓を有する裏枠体の内がわ面に，上記第２の商品窓を覆うように第２のフィルムを被せ，
包装される商品の外形に沿う形状の押込み型または上記包装される商品自体を用いて，上記第１，第２の商品窓を覆う第１，第２のフィルムのそれぞれを，上記表枠体および上記裏枠体の内がわから外がわに向けて，上記第１および第２の商品窓を通して押込むことにより，上記第１および第２の商品窓のそれぞれから外方に突出する，上記商品の外形に沿う第１のフィルムの収納部および第２のフィルムの収納部を形成し，
収納部が形成された上記第１のフィルムの周縁部を上記表枠体の枠部の内がわ面に，収納部が形成された上記第２のフィルムの周縁部を上記裏枠体の枠部の内がわ面に，それぞれ接着し，
上記第１のフィルムの収納部内または第２のフィルムの収納部内のいずれかに商品を入れ，
上記裏枠体の内がわ面と上記表枠体の内がわ面とを重ね合わせて固定する，
商品の包装方法。
【請求項７】
上記押込み型または上記包装される商品の外周範囲にフィルム押さえ部材を配置し，上記第１，第２の商品窓を通して上記第１，第２のフィルムをそれぞれ押込むときの上記第１，第２のフィルムの周縁部の立ち上がりを阻止する，
請求項６に記載の商品の包装方法。
【請求項８】
上記裏枠体が上記表枠体の一側に折り線を介してつながっており，
上記裏枠体を上記折り線の位置で内がわに折畳むことにより，上記裏枠体の内がわ面が上記表枠体の内がわ面に重ね合わせる，
請求項６または７に記載の商品の包装方法。
【請求項９】
包装される商品の厚さの半分程度の深さの，上記第１のフィルムの収納部および上記第２のフィルムの収納部を形成する，
請求項６から８のいずれか一項に記載の商品の包装方法。
【請求項１０】
上記第１のフィルムおよび第２のフィルムが一枚のフィルムによって構成され，一枚のフィルムが上記第１の商品窓および上記第２の商品窓の両方を覆う，
請求項６から９のいずれか一項に記載の商品の包装方法。
【請求項１１】
上記フィルムを超える大きさを有するフィルムシートを供給し，
上記フィルムシートに，上記第１および第２商品窓を覆うように被せられる上記一枚のフィルムの周縁に沿う間欠的な切込みを形成し，
上記押込み型または上記包装される商品を上記第１および第２の商品窓を通して押込むときに，上記フィルムシートから上記一枚のフィルムを打ち抜く，
請求項１０に記載の商品の包装方法。
【請求項１２】
第１の商品窓を有する表枠体および上記表枠体の一側に折り線を介してつながる第２の商品窓を有する裏枠体を有する台紙を供給し，
第１の商品窓を有する表枠体の内がわ面および第２の商品窓を有する裏枠体の内がわ面に，上記第１の商品窓および第２の商品窓の両方を覆うようにフィルムを被せ，
包装される商品の外形に沿う形状の押込み型または包装される商品自体を用いて，上記第１の商品窓を覆うフィルムを上記表枠体の内がわから外がわに向けて上記第１の商品窓を通して押込むことにより，上記第１の商品窓から外方に突出する，上記商品の厚さよりも浅い深さを持つフィルムの第１の収納部を形成し，
上記第１の収納部の周縁のフィルム部分を上記表枠体の枠部の内がわ面に接着し，
上記第１の収納部内に商品を入れ，
上記裏枠体を折り畳んで上記表枠体の内がわ面と上記裏枠体の内がわ面とを重ね合わせて固定しかつ上記裏枠体の枠部に上記フィルムを接着し，
上記裏枠体を折り畳むときに，上記フィルムの第１の収納部からはみ出している商品部分により上記第２の商品窓を覆うフィルムを上記裏枠体の内がわから外がわに向けて上記第２の商品窓を通して押込むことで，上記第２の商品窓から外方に突出する上記商品部分を収納する第２の収納部を形成する，
商品の包装方法。
【請求項１３】
商品窓を有する表枠体の内がわ面に，上記商品窓を覆うようにフィルムを被せるフィルム供給部，
包装される商品の外形に沿う形状の押込み型または包装される商品を備え，上記押込み型または包装される商品自体によって，上記商品窓を覆うフィルムを上記表枠体の内がわから外がわに向けて上記商品窓を通して押込むことにより，上記商品窓から外方に突出する上記商品の外形に沿うフィルムの収納部を形成する収納部形成部，
収納部が形成された上記フィルムの周縁部を上記表枠体の枠部の内がわ面に接着するフィルム接着部，ならびに
上記収納部内に商品が入れられた後に，裏パネル体を上記表枠体の内がわ面に重ね合わせて固定するシール部を備える，
商品の包装装置。
【請求項１４】
第１の商品窓を有する表枠体の内がわ面に，上記第１の商品窓を覆うように第１のフィルムを被せ，かつ第２の商品窓を有する裏枠体の内がわ面に，上記第２の商品窓を覆うように第２のフィルムを被せるフィルム供給部，
包装される商品の外形に沿う形状の押込み型または包装される商品を備え，上記押込み型または包装される商品自体を用いて，上記第１，第２の商品窓を覆う第１，第２のフィルムのそれぞれを，上記表枠体および上記裏枠体の内がわから外がわに向けて，上記第１および第２の商品窓を通して押込むことにより，上記第１および第２の商品窓のそれぞれから外方に突出する，上記商品の外形に沿う第１のフィルムの収納部および第２のフィルムの収納部を形成する収納部形成部，
収納部が形成された上記第１のフィルムの周縁部を上記表枠体の枠部の内がわ面に，収納部が形成された上記第２のフィルムの周縁部を上記裏枠体の枠部の内がわ面に，それぞれ接着するフィルム接着部，ならびに
上記第１のフィルムの収納部内または第２のフィルムの収納部内のいずれかに商品が入れられた後，上記表枠体の内がわ面と上記裏枠体の内がわ面とを重ね合わせて固定するシール部を備える，
商品の包装装置。
【請求項１５】
第１の商品窓を有する表枠体および上記表枠体の一側に折り線を介してつながる第２の商品窓を有する裏枠体を有する台紙の内がわ面に，上記第１の商品窓および第２の商品窓の両方を覆うようにフィルムを被せるフィルム供給部，
包装される商品の外形に沿う形状の押込み型または包装される商品を備え，上記押込み型または包装される商品自体を用いて，上記第１の商品窓を覆うフィルムを，上記表枠体の内がわから外がわに向けて上記第１の商品窓を通して押込むことにより，上記第１の商品窓から外方に突出する，上記商品の厚さよりも浅い深さを持つフィルムの第１の収納部を形成する収納部形成部，
上記第１の収納部の周縁のフィルム部分を上記表枠体の枠部の内がわ面に接着するフィルム接着部，
上記フィルムの第１の収納部内に商品が入れられた後，上記裏枠体を折り畳んで上記表枠体の内がわ面と上記裏枠体の内がわ面とを重ね合わせて固定しかつ上記裏枠体の枠部に上記フィルムを接着し，上記裏枠体を折り畳むときに，上記フィルムの第１の収納部からはみ出している商品部分により上記第２の商品窓を覆うフィルムが上記裏枠体の内がわから外がわに向けて上記第２の商品窓を通して押込まれることで，上記第２の商品窓から外方に突出する上記商品部分を収納する第２の収納部を形成するシール部を備える，
商品の包装装置。
【請求項１６】
商品窓を有する表枠体，
上記表枠体の内がわ面と重ね合わされて保持される裏パネル体，および
上記表枠体と裏パネル体の間に設けられるフィルムを備え，
包装される商品の外形に沿う形状の押込み型を用いてまたは包装される商品自体によって，商品窓を有する表枠体の内がわ面に上記商品窓を覆うように被せられた上記フィルムが上記表枠体の内がわから外がわに向けて上記商品窓を通して押込まれることによって形成される，上記商品窓から外方に突出する上記商品の外形に沿うフィルムの収納部，
上記収納部が形成された上記フィルムの周縁部を上記表枠体の枠部の内がわ面に接着する接着部，および
裏パネル体を上記表枠体の内がわ面に重ね合わせて固定する固定部を備える，
包装体。
【請求項１７】
第１の商品窓を有する表枠体，
上記表枠体の内がわ面と重ね合わされて保持される，第２の商品窓を有する裏枠体，および
上記表枠体と裏枠体の間に設けられるフィルムを備え，
上記表枠体の内がわ面および上記裏枠体の内がわ面に上記第１，第２の商品窓を覆うように被せられた上記フィルムが，包装される商品の外形に沿う形状の押込み型または上記包装される商品自体によって，上記表枠体および上記裏枠体の内がわから外がわに向けて，上記第１および第２の商品窓を通して押込まれることによって形成される，上記第１および第２の商品窓のそれぞれから外方に突出する上記商品の外形に沿う第１，第２の収納部，
上記の第１の収納部の周縁のフィルム部分を上記表枠体の枠部の内がわ面に，上記第２の収納部の周縁のフィルム部分を上記裏枠体の枠部の内がわ面に，それぞれ接着する接着部，ならびに
裏枠体の内がわ面と上記表枠体の内がわ面を重ね合わせて固定する固定部を備える，
包装体。
【発明の詳細な説明】
【技術分野】
【０００１】
この発明は，商品の包装方法，商品の包装装置および包装体に関する。
【背景技術】
【０００２】
スーパーマーケット，薬局，コンビニエンスストア，その他の店舗で販売されるリップクリーム，化粧水，スプレー等の比較的小型の商品は，台紙および透明プラスチックを用いて包装された形態で流通，販売されることが多い。包装された商品が店舗内において展示ないし陳列され，消費者の手に取られる。
【０００３】
商品の形状および大きさに応じた凹部を持つ，比較的硬質の透明プラスチック製のブリスター内に商品を入れ，台紙によってブリスターの背面がわの開口を閉じたブリスターパックが知られている（特許文献１）。透明なブリスターを通して包装商品がよく見えるので，展示効果が高く，包装商品の外力からの保護効果も比較的高いが，ブリスターを所定形状に形成するには金型の製作が必要とされ，またプラスチック材料の加熱も必要とされるので，製造コストは高い。商品表面に比較的柔軟なシュリンクフィルムを密着させて覆う包装形態もあるが，シュリンクフィルムを商品表面に密着させるには包装商品全体を加熱しなければならず，加熱のためのエネルギー量は大きい。また，シュリンクフィルムによる包装は熱に弱い商品を包装するのには不向きである。
【先行技術文献】
【特許文献】
【０００４】
【特許文献１】特開２００５−２２７４７号公報
【発明の開示】
【０００５】
この発明は，比較的安価に商品を包装することができる商品の包装方法および装置を提供することを目的とする。
【０００６】
この発明はまた，加熱成形を用いることなくフィルムによって商品を包装する方法および装置を提供することを目的とする。
【０００７】
第１の発明による商品の包装方法は，商品窓を有する表枠体の内がわ面に，上記商品窓を覆うようにフィルムを被せ，包装される商品の外形に沿う形状の押込み型を用いてまたは包装される商品自体を用いて，上記商品窓を覆うフィルムを上記表枠体の内がわから外がわに向けて上記商品窓を通して押込むことにより，上記商品窓から外方に突出する上記商品の外形に沿うフィルムの収納部を形成し，収納部が形成された上記フィルムの周縁部を上記表枠体の枠部の内がわ面に接着し，上記収納部内に商品を入れ，裏パネル体を上記表枠体の内がわ面に重ね合わせて固定する。
【０００８】
第１の発明によると，表枠体の商品窓から外方に突出する，商品の外形に沿うフィルムの収納部（ポケット）が形成され，そこに商品が入れられる。フィルムの収納部の開口が裏パネル体によって閉じられて，商品は商品窓から外方に突出するフィルムの収納部と裏パネル体とによって挟まれて保持される。フィルムによって覆われた状態の商品は，商品窓からその一部または全部が外方に突出することになる。フィルムの収納部は包装される商品の外形に沿う形状の押込み型または包装される商品自体を上記表枠体の内がわから外がわに向けて上記商品窓を通して押込む（フィルムを滑らせて移動させる）ことによって形成される。したがって収納部の成形に金型は必要とされない。またシュリンクフィルムを用いる場合に必要とされる商品全体の加熱も必要とされない。比較的安価に商品を包装することができる。
【０００９】
フィルムの収納部の形成に押込み型を用いる場合には，押込み型によってフィルムの収納部を形成した後に，上記押込み型は収納部から取除かれる。収納部から押込み型を取除いた後に，形成された収納部に商品が入れられる。
【００１０】
フィルムの収納部の形成に包装される商品自体を用いる場合には，収納部の形成に用いられた商品はそのまま収納部に残される。収納部の形成に包装される商品自体を用いる場合には収納部の形成と商品の収納とが同時に行われる。
【００１１】
商品の包装に用いられるフィルムには，薄くかつ柔軟性に富むものが用いられる。好ましくは透明または半透明のフィルムが用いられる。商品の色，商品に印字された文字および図形をフィルムを通して確認することができる。フィルムに覆われた商品の一部または全部が表枠体の商品窓から外方に突出するので，商品の形状も確認することができる。表枠体の商品窓は，包装される商品の外形および大きさに応じた形状および大きさとすればよい。フィルムは，伸びを生じないものであっても，伸びを生じるものであってもよい。また，フィルムによって商品窓の全部を覆う必要は必ずしもなく，商品窓の一部を覆うフィルムを用い，商品の一部をフィルムで覆うようにしてもよい。
【００１２】
上記フィルムの収納部は，上記押込み型または商品の押込み量を調整することで任意にその深さを調整することができる。好ましくは，上記収納部の深さは包装される商品の厚さ（たとえば円筒形の商品であれば，その商品の断面の直径）と同程度（同じであること，および正確には同じではないが差が小さいことを含む）とされる。商品をフィルムに接した状態で保持することができる。もっとも伸びを生じるフィルムを用いる場合には収納部の深さを商品の厚さ（たとえば断面直径）よりも浅くしてもよい。包装された商品にフィルムが密着するので，商品を押さえつける（しっかりと固定する）ことができ，またフィルムに生じるシワが直線的になるので見かけもよくなる。
【００１３】
上記フィルムは，収納部が形成された後に，その周縁部が上記表枠体の枠部の内がわ面に接着される。フィルムの周縁部の全体を接着してもその一部を接着してもよい。上記フィルムが接着される表枠体の枠部の内がわ面の箇所に熱可塑性樹脂等を設けておき，溶着（熱溶着，超音波溶着など）によってフィルムを接着してもよいし，固定具（テープ，ステープラーなど）を用いてフィルムを接着してもよい。また，たとえばフィルムにＬ−ＬＤＰＥ（linear low density polyethylene ）（直鎖状低密度ポリエチレン）製のものを用いると，このフィルムはフィルム自体が溶着性を持つので別途の接着材料は不要になる。接着層をあらかじめフィルムに積層しておいてもよい。
【００１４】
上記フィルムの押込みに用いられる上記押込み型または上記包装される商品の外側周囲にフィルム押さえ部材を配置し，上記商品窓を通して上記フィルムを押込むときの上記フィルムの周縁部の立ち上がりを，上記フィルム押さえ部材によって阻止するようにしてもよい。上記フィルムの周縁部の上記表枠体の枠部の内がわ面への接着を行いやすくすることができる。
【００１５】
上記表枠体と裏パネル体の固定には，溶着を用いることもできるし，接着材，テープ，ステープラーなどを用いることもできる。また，表枠体と裏パネル体とは別個の部材であってもよいし，一つの部材の一部分を表枠体として用い，残りの部分を裏パネル体として用いてもよい。一実施態様では，上記裏パネル体が上記表枠体の一側に折り線を介してつながっており，上記裏パネル体を上記折り線の位置で内がわに折畳むことにより，上記裏パネル体を上記表枠体の内がわ面に重ね合わせる。表枠体および裏パネル体を一つの部材によって構成することによって，表枠体および裏パネル体の面取り効率が良好になる。表枠体と裏パネル体を貼り合わせるときの位置ずれもほぼ発生せず，強度も大きくなる。
【００１６】
一実施態様では，上記フィルムを超える大きさを有するフィルムシートを供給し，上記商品窓を覆うように被せられる上記フィルムの周縁に沿う間欠的な切込みをフィルムシートに形成し，上記押込み型または上記包装される商品を上記商品窓を通して押込むときに，上記フィルムシートから上記フィルムを打ち抜く（切り離す）。フィルムシートからのフィルムの打抜きと，打ち抜かれたフィルムへの収納部の形成とを同時進行で行うことができる。
【００１７】
第２の発明による商品の包装方法は，第１の商品窓を有する表枠体の内がわ面に，上記第１の商品窓を覆うように第１のフィルムを被せ，第２の商品窓を有する裏枠体の内がわ面に，上記第２の商品窓を覆うように第２のフィルムを被せ，包装される商品の外形に沿う形状の押込み型または上記包装される商品自体を用いて，上記第１，第２の商品窓を覆う第１，第２のフィルムのそれぞれを，上記表枠体および上記裏枠体の内がわから外がわに向けて，上記第１および第２の商品窓を通して押込むことにより，上記第１および第２の商品窓のそれぞれから外方に突出する，上記商品の外形に沿う第１のフィルムの収納部および第２のフィルムの収納部を形成し，収納部が形成された上記第１のフィルムの周縁部を上記表枠体の枠部の内がわ面に，収納部が形成された上記第２のフィルムの周縁部を上記裏枠体の枠部の内がわ面に，それぞれ接着し，上記第１のフィルムの収納部内または第２のフィルムの収納部内のいずれかに商品を入れ，上記裏枠体の内がわ面と上記表枠体の内がわ面とを重ね合わせて固定する。
【００１８】
第２の発明によると，表枠体に第１の商品窓が，裏枠体に第２の商品窓が，それぞれ形成されており，表裏２つの商品窓のそれぞれに対応して，商品の外形に沿う第１および第２のフィルムの収納部が形成される。２つの収納部は第１，第２の商品窓から外方にそれぞれ反対向きに突出する。商品は２つの収納部にまたがって収納される。商品の外形を表裏の両がわから確認することができる。２つの収納部は，たとえば包装される商品の厚さの半分程度の深さでそれぞれ形成される。
【００１９】
第２の発明においても，２つの収納部は，包装される商品の外形に沿う形状の押込み型または包装される商品自体を，上記表枠体および裏枠体の内がわから外がわに向けて第１，第２の商品窓を通して押込む（フィルムを滑らせて移動させる）ことによって形成される。収納部の成形に金型を用いる必要はなく，商品全体を加熱する必要もない。比較的安価に商品を包装することができる。
【００２０】
上記第１のフィルムおよび第２のフィルムはそれぞれ別個のフィルムを用いてもよいし，上記第１の商品窓および上記第２の商品窓の両方を覆う大きさの一枚のフィルムを用い，その一部を上記第１のフィルムとして用い，残りを上記第２のフィルムとして用いてもよい。
【００２１】
第３の発明による商品の包装方法は，第１の商品窓を有する表枠体および上記表枠体の一側に折り線を介してつながる第２の商品窓を有する裏枠体を有する台紙を供給し，第１の商品窓を有する表枠体の内がわ面および第２の商品窓を有する裏枠体の内がわ面に，上記第１の商品窓および第２の商品窓の両方を覆うようにフィルムを被せ，包装される商品の外形に沿う形状の押込み型または包装される商品自体を用いて，上記第１の商品窓を覆うフィルムを上記表枠体の内がわから外がわに向けて上記第１の商品窓を通して押込むことにより，上記第１の商品窓から外方に突出する，上記商品の厚さよりも浅い深さを持つフィルムの第１の収納部を形成し，上記第１の収納部の周縁のフィルム部分を上記表枠体の枠部の内がわ面に接着し，上記第１の収納部内に商品を入れ，上記裏枠体を折り畳んで上記表枠体の内がわ面と上記裏枠体の内がわ面とを重ね合わせて固定しかつ上記裏枠体の枠部に上記フィルムを接着し，上記裏枠体を折り畳むときに，上記フィルムの第１の収納部からはみ出している商品部分により上記第２の商品窓を覆うフィルムを上記裏枠体の内がわから外がわに向けて上記第２の商品窓を通して押込むことで，上記第２の商品窓から外方に突出する上記商品部分を収納する第２の収納部を形成する。
【００２２】
第３の発明による商品の包装方法では，表がわの第１の商品窓および裏がわの第２の商品窓から外方に突出して形成される２つのフィルムの収納部のうち，表がわに形成される第１の収納部は，包装される商品の外形に沿う形状の押込み型または包装される商品自体を上記表枠体の内がわから外がわに向けて第１の商品窓を通して押込むことによって形成される。他方，裏がわに形成される第２の収納部は，上記裏枠体を折り畳んで上記表枠体の内がわ面と上記裏枠体の内がわ面とを重ね合わせて固定するときに，上記第１の収納部からはみ出している商品部分により上記第２の商品窓を覆うフィルムが上記裏枠体の内がわから外がわに向けて上記第２の商品窓を通して押込まれることで形成される。第２の収納部の形成と第２の収納部への商品の格納が同時に行われる。
【００２３】
この発明は，上述した第１の発明による商品の包装方法に適する包装装置も提供している。第１の発明による商品の包装方法に適する包装装置は，商品窓を有する表枠体の内がわ面に，上記商品窓を覆うようにフィルムを被せるフィルム供給部，包装される商品の外形に沿う形状の押込み型または包装される商品を備え，上記押込み型または包装される商品自体によって，上記商品窓を覆うフィルムを上記表枠体の内がわから外がわに向けて上記商品窓を通して押込むことにより，上記商品窓から外方に突出する上記商品の外形に沿うフィルムの収納部を形成する収納部形成部，収納部が形成された上記フィルムの周縁部を上記表枠体の枠部の内がわ面に接着するフィルム接着部，ならびに上記収納部内に商品が入れられた後に，裏パネル体を上記表枠体の内がわ面に重ね合わせて固定するシール部を備える。
【００２４】
この発明はさらに上述した第２の商品の包装方法に適する包装装置も提供している。第２の商品の包装方法に適する包装装置は，第１の商品窓を有する表枠体の内がわ面に，上記第１の商品窓を覆うように第１のフィルムを被せ，かつ第２の商品窓を有する裏枠体の内がわ面に，上記第２の商品窓を覆うように第２のフィルムを被せるフィルム供給部，包装される商品の外形に沿う形状の押込み型または包装される商品を備え，上記押込み型または包装される商品自体を用いて，上記第１，第２の商品窓を覆う第１，第２のフィルムのそれぞれを，上記表枠体および上記裏枠体の内がわから外がわに向けて，上記第１および第２の商品窓を通して押込むことにより，上記第１および第２の商品窓のそれぞれから外方に突出する，上記商品の外形に沿う第１のフィルムの収納部および第２のフィルムの収納部を形成する収納部形成部，収納部が形成された上記第１のフィルムの周縁部を上記表枠体の枠部の内がわ面に，収納部が形成された上記第２のフィルムの周縁部を上記裏枠体の枠部の内がわ面に，それぞれ接着するフィルム接着部，ならびに上記第１のフィルムの収納部内または第２のフィルムの収納部内のいずれかに商品が入れられた後，上記表枠体の内がわ面と上記裏枠体の内がわ面とを重ね合わせて固定するシール部を備える。
【００２５】
この発明はさらに上述した第３の商品の包装方法に適する包装装置も提供している。第３の商品の包装方法に適する包装装置は，第１の商品窓を有する表枠体および上記表枠体の一側に折り線を介してつながる第２の商品窓を有する裏枠体を有する台紙の内がわ面に，上記第１の商品窓および第２の商品窓の両方を覆うようにフィルムを被せるフィルム供給部，包装される商品の外形に沿う形状の押込み型または包装される商品を備え，上記押込み型または包装される商品自体を用いて，上記第１の商品窓を覆うフィルムを，上記表枠体の内がわから外がわに向けて上記第１の商品窓を通して押込むことにより，上記第１の商品窓から外方に突出する，上記商品の厚さよりも浅い深さを持つフィルムの第１の収納部を形成する収納部形成部，収納部が形成された上記フィルムの周縁部を上記表枠体の枠部の内がわ面に接着するフィルム接着部，上記フィルムの第１の収納部内に商品が入れられた後，上記裏枠体を折り畳んで上記表枠体の内がわ面と上記裏枠体の内がわ面とを重ね合わせて固定しかつ上記裏枠体の枠部に上記フィルムを接着し，上記裏枠体を折り畳むときに，上記フィルムの第１の収納部からはみ出している商品部分により上記第２の商品窓を覆うフィルムが上記裏枠体の内がわから外がわに向けて上記第２の商品窓を通して押込まれることで，上記第２の商品窓から外方に突出する上記商品部分を収納する第２の収納部を形成するシール部を備える。
【００２６】
この発明は，上述した第１，第２および第３の商品の包装方法ないし包装装置によってつくられる包装体も提供する。
【図面の簡単な説明】
【００２７】
【図１】包装体の斜視図である。
【図２】図１のII−II線に沿う断面図である。
【図３】図１のIII−III線に沿う断面図である。
【図４】台紙の展開図である。
【図５】包装装置を示す斜視図である。
【図６】ポケット形成およびフィルム接着部の拡大斜視図である。
【図７】押込み部材の斜視図である。
【図８】ポケット形成およびフィルム接着部の動作を示す断面図である。
【図９】ポケット形成およびフィルム接着部の動作を示す断面図である。
【図１０】ポケット形成およびフィルム接着部の動作を示す断面図である。
【図１１】変形例の包装装置の一部を示す斜視図である。
【図１２】変形例の包装装置の一部を示す斜視図である。
【図１３】変形例のポケット形成およびフィルム接着部を示す断面図である。
【図１４】他の実施例の包装体を示す斜視図である。
【図１５】さらに他の実施例の包装体を示す斜視図である。
【図１６】図１５のXVI−XVI線に沿う断面図である。
【図１７】図１５のXVII−XVII線に沿う断面図である。
【図１８】ポケットが形成されたカット済フィルムを備える台紙の展開図である。
【図１９】他の実施例の包装装置を平面から見たものである。
【図２０】ターンテーブルの平面図である。
【図２１】載置台の拡大斜視図である。
【図２２】図１９のXXII−XXII線に沿う断面図である。
【図２３】ポケット形成およびフィルム接着部の動作を示す断面図である。
【図２４】ポケット形成およびフィルム接着部の動作を示す断面図である。
【図２５】ポケット形成およびフィルム接着部の動作を示す断面図である。
【図２６】ポケット形成およびフィルム接着部の動作を示す断面図である。
【図２７】折畳み部の動作を示す。
【図２８】折畳み部の動作を示す。
【図２９】折畳み部の動作を示す。
【図３０】他の実施例のカット済フィルムを備える台紙の展開図である。
【実施例】
【００２８】
図１は商品のディスプレイ用の包装体１Ａを，商品５を包装している状態で示す斜視図である。図２は図１のII−II線に沿う断面図である。図３は図１のIII−III線に沿う断面図である。図４は包装体１Ａを構成する台紙８の展開図である。
【００２９】
包装体１Ａは，折り線Ｌでつながる矩形の表枠体２および矩形の裏パネル体３と，これらの表枠体２および裏パネル体３の間に挟まれるカット済フィルム４とを備える。表枠体２と裏パネル体３は一枚の台紙８（厚紙）（図４）によりつくられており，折り線Ｌの位置で台紙８は折畳まれる。カット済フィルム４は透明または半透明の，薄い，柔軟性を持つプラスチック製のものである。後述するように，カット済フィルム４は表枠体２の枠部の内がわとなる面にその一部が接着される。カット済フィルム４の素材には，ポリ塩化ビニル，ポリプロピレン，ポリスチレン，ポリオレフィン，ポリエチレンテレフタレート，直鎖状低密度ポリエチレンなどを用いることができる。
【００３０】
表枠体２に矩形の商品窓２Ａが形成されている。商品窓２Ａは，包装体１Ａによって包装される商品５の正面がわの形状に応じた好ましくは合致した形状を持ち，その大きさも包装される商品５の大きさに応じたもの，好ましくは合致したものまたはやや大きいものとされる。いずれにしても商品窓２Ａは，包装される商品５がその正面がわから通る形状および大きさを持つ。
【００３１】
上述したように，表枠体２と裏パネル体３とは折り線Ｌを介してつながっており，折り線Ｌの位置で台紙８を折ることで表枠体２と裏パネル体３とは重ね合わされる。台紙８を折りやすくするために，折り線Ｌにはあらかじめ折り罫（浅い線状の窪み）を付与しておいてもよいし，浅い切り込みを形成しておいてもよい。
【００３２】
表枠体２の商品窓２Ａの上方の枠部および裏パネル体３の上部に，円形のフック孔２Ｂ，３Ｂがそれぞれあけられている。折り線Ｌの位置で台紙８が折られると，これらのフック孔２Ｂ，３Ｂは重なり合う。包装体１Ａによって包装された商品５はこれらのフック孔２Ｂ，３Ｂを用いてフックにかけられて店舗等において陳列される。
【００３３】
表枠体２と裏パネル体３の間に位置するカット済フィルム４は，表枠体２にあけられた商品窓２Ａの全体を覆う大きさを持つ。詳細は後述するが，カット済フィルム４は，商品５の外形にほぼ合致する形状の押し型（プラグ）または商品５自体が用いられて商品窓２Ａを通して表枠体２の外がわとなる面の向きに押し込まれ，これにより商品５の外形にほぼ合致する形状のフィルム４のポケット（収納部，凹部）が，商品窓２Ａから外方に突出して形成される。すなわちカット済フィルム４は上記ポケットを形成することができる寸法を持つ。ポケットが形成された状態においてカット済フィルム４の周縁部が表枠体２の枠部の内がわ面に接着される。形成されたポケットに商品５が収納（格納）される。ポケットに収納された商品５も一部または全部が商品窓２Ａから外方に突出する。裏パネル体３を内がわに折返して表枠体２と重ね合わせ，重なり合った表枠体２と裏パネル体３を糊部Ｎによって接着して重なり合いの状態を保持することで，商品５の包装が完成する。カット済フィルム４は透明ないし半透明であるから，カット済フィルム４を通して商品５に印字された文字および図形，商品５の色などが確認される。カット済フィルム４によって覆われた商品５は商品窓２Ａから外方に突出するので，商品５の外形も表がわから確認される。
【００３４】
上述した包装体１Ａの製造工程（商品５の包装工程）を図５を参照して説明する。包装体１Ａは，図５に示すように，（ａ）給紙部，（ｂ）ポケット形成およびフィルム接着部，（ｃ）フィルム供給部，（ｄ）フィルムカット部，（ｅ）フィルム巻取部，（ｆ）商品供給部，（ｇ）折畳み部，（ｈ）台紙シール部，ならびに（ｉ）包装商品排出部を経ることで製造される。
【００３５】
台紙８が搬送コンベア11上を搬送される。搬送コンベア11にはその進行方向に沿って所定間隔ごとに凹部11Ａが形成されている。凹部11Ａは，商品５の形状に応じた好ましくは合致したまたはやや大きな開口と所定の深さとを持つ。搬送コンベア11は所定距離の駆動（移動）と所定時間の停止とを繰返すように制御され，停止しているときに，次に説明する給紙，ポケット形成およびフィルム接着，商品収納等が行われる。
【００３６】
はじめに（ａ）給紙部において，搬送コンベア11上に台紙８が供給されて載置される。給紙部では，台紙収納部（ホッパ）（図示略）内に重合わされた状態で収納された多数枚の台紙８から一枚の台紙８が取出されて搬送コンベア11上に載置される。ロータリーフィーダやシュータなどを用いて自動的に搬送コンベア11上に台紙８を載置してもよいし，手作業で搬送コンベア11上に台紙８を載置してもよい。台紙８は，搬送コンベア11に形成されている凹部11Ａと表枠体２に形成されている商品窓２Ａとが重なるように搬送コンベア11上に載置される。
【００３７】
搬送コンベア11上に載置された台紙８は，次に（ｂ）ポケット形成およびフィルム接着部に進む。
【００３８】
図６はポケット形成およびフィルム接着部の拡大斜視図である。図７はポケット形成およびフィルム接着部において用いられる押込み部材31を，底面がわから見た斜視図である。図８から図１０はポケット形成およびフィルム接着部の動作を示すもので，図６のVIII−VIII線に沿う断面図である。
【００３９】
図５を参照して，ポケット形成およびフィルム接着部の位置における搬送コンベア11の両がわには，フィルムシートＦＳが巻回された繰出しロール21を備える（ｃ）フィルム供給部と，使用済みのフィルムシートＦＳ（廃材）を巻取る巻取りロール22を備える（ｅ）フィルム巻取部とがそれぞれ設けられている。繰出しロール21から繰出されたフィルムシートＦＳは，搬送コンベア11上を搬送される台紙８の上方を搬送コンベア11の進行方向と垂直な方向に進み，巻取りロール22に至る。搬送コンベア11と同様，フィルムシートＦＳも間欠的に供給される。
【００４０】
繰出しロール21から繰出されたフィルムシートＦＳは，ポケット形成およびフィルム接着部に供給される前に，（ｄ）フィルムカット部を通過する。フィルムカット部は底面にカッタ（図示略）が設けられたカット部材23を含み，カット部材23がフィルムシートＦＳに押当てられることで上述したカット済フィルム４の周縁に沿う矩形の切込みｋがフィルムシートＦＳに入れられる。図６の拡大図を参照して，切込みｋは連続して形成されてはおらず，複数箇所の短いつなぎ部ｔが残されている（間欠切込み）。このため，フィルムカット部ではフィルムシートＦＳからカット済フィルム４は完全には打ち抜かれない。矩形の切込みｋはフィルムシートＦＳ上に所定間隔ごとに入れられる。
【００４１】
図６を参照して，ポケット形成およびフィルム接着部は，押込み部材31，４本の熱伝導ピン32，およびフィルム固定具33を含む。フィルムシートＦＳに入れられた矩形の切込みｋによって囲まれる矩形範囲（以下，矩形切込み範囲という）が，搬送コンベア11上の台紙８の一側がわの表枠体２の上方に達すると，フィルムシートＦＳの供給が一時的に停止される。このとき，表枠体２に形成された商品窓２Ａおよびその下方の搬送コンベア11の凹部11Ａは，フィルムシートＦＳの矩形切込み範囲の下方に位置する。
【００４２】
フィルム固定具33は矩形の枠状のもので，その枠部はフィルムシートＦＳの矩形切込み範囲よりも一回り大きい。フィルム固定具33の底面に摩擦係数の大きなゴム部材34が設けられている。図６においてクロスハッチングでゴム部材34を示す。フィルム固定具33を押下することで，フィルムシートＦＳの矩形切込み範囲の外側周囲が，ゴム部材34によって表枠体２の枠部に押さえつけられる。
【００４３】
図６および図７を参照して，押込み部材31は，平板状のフィルム押さえ板31Ｃと，フィルム押さえ板31Ｃの底面（下面）のほぼ中央に設けられて下向きに突出する，商品５の外形に沿う形状を持つ押込みプラグ31Ｂと，フィルム押さえ板31Ｃの上面に設けられ，押込みプラグ31Ｂとは反対がわに突出する頭部31Ｄを備えている。図８および図９を参照して，押込み部材31の頭部31Ｄが押下されると，押込み部材31の底面の押込みプラグ31ＢがフィルムシートＦＳの矩形切込み範囲内の部分を下方に押しながら表枠体２の商品窓２Ａを通過し，さらに搬送コンベア11に形成された凹部11Ａ内に侵入する。
【００４４】
図９，図１０を参照して，上述のように，摩擦係数の大きなゴム部材34によってフィルムシートＦＳの矩形切込み範囲の外側周囲が表枠体２に押さえつけられているので，押込みプラグ31ＢによってフィルムシートＦＳの矩形切込み範囲が凹部11Ａ内に押込まれると，上述したつなぎ部ｔが切れ，これによりフィルムシートＦＳからカット済フィルム４が打抜かれる。また，カット済フィルム４の周縁部の上方には押込み部材31のフィルム押さえ板31Ｃが位置しているので，押込みプラグ31Ｂによってカット済フィルム４が凹部11Ａ内に押し込まれるときに，カット済フィルム４の周縁部が完全に立ち上がってしまうこと（カット済フィルム４の周縁部が垂直な向きを向いてしまうこと）が抑制される。なお，押さえ板31Ｃは押込み部材31と別体とし，あらかじめカット済フィルム４の上方に隙間をあけて固定しておいてもよい。
【００４５】
図１０を参照して，押込みプラグ31Ｂを凹部11Ａ内に押込み続けると，カット済フィルム４は凹部11Ａに滑りながら移動していき，カット済フィルム４には押込みプラグ31Ｂの外形に沿う凹部（以下，ポケットＰと呼ぶ）が，表枠体２の商品窓２Ａから外方に突出する向きに形成される。押込みプラグ31Ｂの押込み量を調整することでポケットＰの深さは調整される。ポケットＰの深さはたとえば商品５の厚さ（断面直径）と同程度とされる。
【００４６】
図６および図７に戻って，押込み部材31のフィルム押さえ板31Ｃの四隅に，円形の貫通孔31Ａがそれぞれ形成されている。先端が先細に形成された円筒状の４本の熱伝導ピン32が上記４つの貫通孔31をそれぞれ通されて，その先端から下向きに移動させられる。再び図１０を参照して，４本の熱伝導ピン32（図１０では４本の熱伝導ピン32のうちの２本のみが図示されている）の先端がカット済フィルム４を介して表枠体２の枠部にそれぞれ押しつけられる。熱伝導ピン32の先端に電流が通されることで熱伝導ピン32の先端が発熱し，これによってカット済フィルム４の四隅が表枠体２の枠部に溶着によって接着される。カット済フィルム４が溶着される表枠体２の枠部の４箇所にはあらかじめ熱可塑性樹脂を設けておくとよい。カット済フィルム４の表枠体２の枠部への接着が終了した後，上記押込み部材31，熱伝導ピン32，およびフィルム固定具33は上方に移動して元の位置に戻る。
【００４７】
図５に戻って，商品５の形状に沿うポケットＰが形成されかつ表枠体２の枠部に接着されたカット済フィルム４を備える台紙８は，次に（ｆ）商品供給部に進む。商品供給部ではカット済フィルム４のポケットＰ内に商品５が収納される。商品５の収納も，たとえばロボットを用いて自動的に行ってもよいし，手作業で行ってもよい。
【００４８】
（ｇ）折畳み部に進む。折畳み部では折り線Ｌの位置で裏パネル体３が内がわに折畳まれる。ポケットＰの開口が裏パネル体３によって閉じられ，ポケットＰ内に収納された商品５はカット済フィルム４と裏パネル体３とによってその前後から挟まれる。
【００４９】
（ｈ）台紙シール部に進む。ここでは折畳まれた裏パネル体３の内がわ面と，表枠体２の枠部の内がわ面とがたとえば糊部Ｎによって接着される（図２参照）。糊部Ｎはあらかじめ裏パネル体３の側部に設けておいてもよいし，（ｆ）商品供給部の段階で設けてもよい。台紙８全体に熱溶着性接着材料をコーティングしておいてもよい。さらにカット済フィルム４に熱溶着性材料を含ませておき，カット済フィルム４によって表枠体２と裏パネル体３とを接着してもよい。押圧部材36が用いられて裏パネル体３と表枠体２の枠部とが強く密着させられる。糊部Ｎが熱溶着性材料の場合には加熱された押圧部材36が押し当てられることでシールは行われる。熱溶着性材料でない糊部Ｎであれば一般には押圧部材36は所定時間押し当てられる。いずれにしても表枠体２と裏パネル体３とが固定されることで商品５を包装した包装体１Ａ（図１参照）が完成する。
【００５０】
最後に，（ｉ）包装商品排出部において，商品５を包装した包装体１Ａが搬送コンベア11から排出される。たとえばエア吸着が用いられて，搬送コンベア11上の包装体１Ａは自動的に排出される。もちろん，包装体１Ａの排出も手作業で行ってもよい。
【００５１】
上述した例では，押込みプラグ31Ｂを用いてフィルムシートＦＳの矩形切込み範囲の部分を押下することで，ポケットＰを形成すると同時に，フィルムシートＦＳからカット済フィルム４を打ち抜いている。もちろん，あらかじめフィルムシートＦＳからカット済フィルム４を打ち抜いておく，または切り出しておいてもよい。この場合には（ｃ）フィルム供給部，（ｄ）フィルムカット部および（ｅ）フィルム巻取部を省略することができ，これらに代えてカット済フィルム４を表枠体２上に配置する搬送機構が用いられる。（ｂ）ポケット形成およびフィルム接着部中のフィルム固定具33（図６参照）も省略することができる。
【００５２】
図１１は上述した（ｈ）台紙シール部の変形例を示している。搬送コンベア11の上方に，搬送コンベア11と僅かな間隔をあけてガイド板37がフレーム（図示略）によって設けられている。ガイド板37はその上面に設けられたバネ37ａによって下方に軽く付勢され，台紙８がガイド板37の下方を通過するときにガイド板37と搬送コンベア11とによって挟むことで，折り畳まれた裏パネル体３と表枠体２の枠部とを密着させることができる。ガイド板37の一端（搬送コンベア11の上流がわの一端）が上方に反っているので，搬送コンベア11を搬送される台紙８がガイド板37に引っかかってしまうことはない。
【００５３】
図１２は上述した（ｇ）折畳み部および（ｈ）台紙シール部の変形例を示している。搬送コンベア11の上方に，搬送コンベア11と僅かな間隔をあけてねじれガイド板38がフレーム（図示略）によって固定的に設けられている。ねじれガイド板38は半回転のねじれを有しており，このため搬送コンベア11の上流側におけるねじれガイド板38の一端部の上面は，搬送コンベア11の下流側の他端部において下面となり，搬送コンベア11の上流側におけるねじれガイド板38の一端部の下面は，搬送コンベア11の下流側の他端部において上面となる。搬送コンベア11の上流側のねじれガイド板38の一端部は台紙８の裏パネル体３の下に潜り込む。ねじれガイド板38が半回転ねじれているので，搬送コンベア11によって台紙８が搬送されると，次第に裏パネル体３が上方に持ち上げられ，折り線Ｌにおいて折り畳まれる。ねじれガイド板38の他端部では折り畳まれた裏パネル体３と表枠体２とが密着させられる。なお，図１２には裏パネル体３と表枠体２とを接着するために用いられる糊ｎを供給する糊供給部材39も示されている。このように（ｇ）折畳み部と（ｈ）台紙シール部とを一体的に設けることもできる。
【００５４】
図１３は，図１０に対応するポケット形成およびフィルム接着部の変形例の断面図を示している。
【００５５】
上述した実施例では，押込み部材31が備える押込みプラグ31Ｂを用いてカット済フィルム４にポケットＰを形成している（図１０参照）。変形例ではカット済フィルム４にポケットＰを形成するために商品５自体が用いられる。
【００５６】
押込み部材40はその底面に吸着部材40ａを備える。上記吸着部材40ａの内部および押込み部材40の内部には空気が通る導管40ｂが形成されている。導管40ｂは吸着部材40ａの下面および押込み部材40の上方側面で開口している。上記押込み部材40の上方側面に形成されている導管40ｂの開口にエア吸引機（図示略）が接続されてエア吸引が行われることで，吸着部材40ａの下面に商品５がエア吸着される。
【００５７】
吸着部材40ａに商品５をエア吸着させた状態で押込み部材40は押下される。商品５自体が搬送コンベア11に形成された凹部11Ａ内に侵入することでフィルム４のポケットＰが形成される。その後，エア吸引機による吸引が停止される。商品５のエア吸着が無くなるので，商品５の吸着部材40ａへの吸着が無くなり，商品５はポケットＰ内にそのまま収納されることになる。その後押込み部材40は移動して次の商品５をエア吸着する。この変形例ように，ポケット形成と商品供給とは同時に行うこともできる。
【００５８】
図１４は他の実施例の包装体１Ｂを示す斜視図である。図１に示す包装体１Ａとは，表枠体２と裏パネル体３とが折り線Ｌを介してつながっておらず別体である点が異なる。包装体１Ｂの場合，裏パネル体３の折畳みは行われない（上述した（ｇ）折畳み部が省略される）。裏パネル体３の内がわ面を表枠体２の内がわ面に重ね合わせて接着することで包装体１Ｂはつくられる。
【００５９】
図１５はさらに他の実施例の包装体１Ｃを示す斜視図である。図１６は図１５のXVI−XVI線に沿う断面図を，図１７は図１５のXVII−XVII線に沿う断面図を，それぞれ示している。図１８は商品５が格納される前の包装体１Ｃの展開図（台紙８Ａおよびカット済フィルム４Ａ）を示している。
【００６０】
図１８を参照して，包装体１Ｃを構成する台紙８Ａは，表枠体２に商品窓２Ａが形成されるとともに裏パネル体３にも商品窓３Ａが形成されている点が，上述した包装体１Ａを構成する台紙８（図４参照）と異なる。また，表枠体２および裏パネル体３にフック孔があけられておらず，裏パネル体３の上端に半円形のフック部３Ｃが設けられており，このフック部３Ｃに円形のフック孔３Ｄがあけられている点も，上述した台紙８と異なる。商品窓３Ａが形成されているので，以下，「裏パネル体３」ではなく「裏枠体３」と言うことにする。
【００６１】
表枠体２に形成された商品窓２Ａと裏枠体３に形成された商品窓３Ａは矩形の同一形状であり，表枠体２と裏枠体３が重ね合わされたときに重なる位置にそれぞれ形成されている。カット済フィルム４Ａは，表枠体２に形成された商品窓２Ａを覆うのみならず，裏枠体３に形成された商品窓３Ａをも覆う大きさを持ち，その四隅が表枠体２および裏枠体３のそれぞれに接着される（接着箇所を図１８において符号ｎで示す）。なお，接着箇所ｎは四隅以外にも設けてもよい。たとえば折り線Ｌの近傍の位置においてカット済フィルム４Ａを表枠体２および裏枠体３のそれぞれ（または表枠体２，裏枠体３のいずれか）に接着する。折り線Ｌ付近のフィルム４Ａが浮くことによるシワを防止することができる。
【００６２】
カット済フィルム４Ａも，商品５の外形にほぼ合致する形状の押し型（プラグ）または商品５自体が用いられて，商品窓２Ａ，３Ａのそれぞれを通して表枠体２，裏枠体３の外がわとなる面の向きに押し込まれ，これにより商品５の外形にほぼ合致する形状のフィルム４のポケットＰが，商品窓２Ａ，３Ａのそれぞれから外方に突出して形成される。形成されたポケットＰに商品５が収納（格納）される。商品５は，包装体１Ｃではその表裏（正面がわおよび裏面がわ）の両面からカット済フィルム４Ａによって挟まれ，商品窓２Ａ，３Ａから反対方向にそれぞれ外方に突出した状態で保持される（図１５，図１６および図１７を参照）。
【００６３】
図１９は包装体１Ｃを製造する包装装置の平面図である。この包装装置は，後述する載置台60を取り替えることで，上述した包装体１Ａ，１Ｂの製造にも用いることができる。
【００６４】
図１９に示す包装装置は円盤状のターンテーブル50を備えている。支持台80に固定されたモータ（図示略）の回転軸が上記ターンテーブル50の底面の中央に固定されている。モータが駆動することでターンテーブル50は平面から見て時計回りに間欠的に回転する。
【００６５】
図５を用いて説明した製造工程と同様に，図１９に示す包装装置も，（ａ）給紙部，（ｂ）ポケット形成およびフィルム接着部，（ｃ）フィルム供給部，（ｄ）フィルムカット部，（ｅ）フィルム巻取部，（ｆ）商品供給部，（ｇ）折畳み部，（ｈ）台紙シール部，ならびに（ｉ）包装商品排出部を含む。
【００６６】
図２０は，図１９に示す包装装置が備えるターンテーブル50のみを示す平面図である。図２１は包装体１Ｃの台紙８Ａを載置するための載置台60の拡大斜視図である。
【００６７】
図２０を参照して，ターンテーブル50には平面から見て矩形の形状を持つ８つの貫通孔51Ａが，等角度間隔で形成されている。各貫通孔51Ａのそれぞれの側方には，左右のそれぞれに２つずつ，合計４つの脚挿入孔51Ｂがあけられている。図２１を参照して，台紙載置台60はその底面に下向きに伸びる４本の脚65を備え（図２１では２本の脚65のみが見えている），この４本の脚65を上記ターンテーブル50の４つの脚挿入孔51Ｂに入れることで，８つの載置台60がターンテーブル50に取付けられる。８つの載置台60のそれぞれによってターンテーブル50に形成されている８つの貫通孔51Ａは閉じられる。
【００６８】
図２１を参照して，載置台60はヒンジ66を介して左右につながる，平板状の矩形の２つの半体60Ａおよび60Ｂを備えている。後述するように，載置台60はヒンジ66において折畳むことができる。２つの半体60Ａ，60Ｂには浅い段差61Ａ，61Ｂがそれぞれ形成されており，段差61Ａ，61Ｂによって形成される窪みに包装体１Ｃを構成する台紙８Ａ（図１８参照）が載置される。
【００６９】
半体60Ａ，60Ｂには，断面が半円状の凹部62がそれぞれ形成されている。凹部62は商品５の形状に応じた好ましくは合致したまたはやや大きな開口と，商品５の断面直径の半分程度の深さを持つ。台紙８Ａが載置台60の窪みに置かれると，表枠体２が半体60Ａの窪みに位置し，裏枠体３が他方の半体60Ｂの窪みに位置する。このとき，台紙８Ａに形成されている２つの商品窓２Ａ，３Ａ（図１８参照）と，上記半体60Ａ，60Ｂにそれぞれ形成されている凹部62とが重なり合う。
【００７０】
２つの半体60Ａ，60Ｂのうち，半体60Ｂのみに，凹部62の左右の側方に２つずつ，合計４つの貫通孔63があけられている。この貫通孔63は，後述するように，台紙８Ａをシールするとき（表枠体２と裏枠体３とを重ね合わせて接着するとき）に用いられる。また，半体60Ｂにのみ，凹部62の上方の枠部を途切れさせる段差64が形成されている。これは裏枠体３の上端の半円形のフック部３Ｃ（図１５，図１８参照）を位置させるために形成されているものである。
【００７１】
図１９に戻って，はじめに（ａ）給紙部において台紙８Ａが載置台60上に載置される。給紙部は台紙収納部41およびロータリーフィーダ42を含む。台紙８Ａは重ね合わされた状態で台紙収納部41に多数枚格納されており，そのうちの１枚がロータリーフィーダ42によるエア吸着によって取出されて，載置台60上に載置される。
【００７２】
ターンテーブル50が時計回りに回転することで，載置台60上に載置された台紙８Ａは（ｂ）ポケット形成部およびフィルム接着部に進む。
【００７３】
図２２は，図１９のXXII−XXII線に沿って見たときの包装装置をその一部を断面にして示している（なお，分かりやすくするためにXXII線−XXII線と異なる位置の断面を示している部分もある）。図２３から図２５は，図２２に示すポケット形成およびフィルム接着部を拡大して示すもので，ポケット形成およびフィルム接着部の構造および動作を示している。
【００７４】
図１９および図２２を参照して，（ｂ）ポケット形成およびフィルム接着部には，（ｃ）フィルム供給部の繰出しロール21から繰出されるフィルムシートＦＳが供給される。フィルム供給部は支持台80に取付けられたフレーム21ａを備え，このフレーム21ａの先端に繰出しロール21が回転自在に取り付けられている。繰出しロール21に巻回されたフィルムシートＦＳは，（ｄ）フィルムカット部，（ｂ）ポケット形成およびフィルム接着部を通り，フレーム82に回転自在に固定された２つの方向転換用のローラ83，84を経て，（ｅ）フィルム巻取り部に至り，フレーム22ａの一端に回転自在に固定された巻取りロール22に巻き取られる。（ｄ）フィルムカット部と（ｂ）ポケット形成およびフィルム接着部の間には，フレーム85に回転自在に固定され，かつモータ（図示略）の回転軸に連結された送りローラ86が設けられている。この送りローラ86によってフィルムシートＦＳは間欠的に繰出しロール21から繰り出され，かつ巻取りロール22に巻き取られる。
【００７５】
図２２を参照して，（ｄ）フィルムカット部は，底面にカッタ24が固定されたカット部材23，フレーム28の上面に固定されたエアシリンダ26，上記フレーム28にあけられた貫通孔を通して上記エアシリンダ26から下方に伸び，先端が上記カット部材23の上面に固定されたシャフト26ａ，およびフレーム29に固定されたカット台25を備える。フィルムカット部において，フィルムシートＦＳは上記カット部材23と上記カット台25の間を通過する。エアシリンダ26によってシャフト26ａが押し下げられると，カット部材23の底面のカッタ24がフィルムシートＦＳに押しつけられ，カット済フィルム４Ａ（図１８参照）の周縁に沿う矩形の切込みｋがフィルムシートＦＳに入れられる（図６と同様である）。矩形の切込みｋが入れられたフィルムシートＦＳが（ｂ）ポケット形成およびフィルム接着部に進む。
【００７６】
図２３を参照して，ポケット形成およびフィルム接着部は，フレーム28の上面に固定された押込み部材31用のエアシリンダ71と，熱伝導ピン32用の４つのエアシリンダ73を備えている（図２３では，４つの熱伝導ピン32用エアシリンダ73のうちの２つが示されている）。押込み部材31用エアシリンダ71のシャフト72は，上記フレーム28にあけられた貫通孔，および後述する熱伝導ピン固定具75にあけられた貫通孔を通っており，その先端に押込み部材31が固定されている。押込み部材31は，平板状のフィルム押さえ板31Ｃと，上記フィルム押さえ板31Ｃの底面（下面）に設けられて下向きに突出する，商品５の外形に沿う形状を持つ２つの押込みプラグ31Ｂ（図２３では１つの押込みプラグ31Ｂのみが図示されている）とを備える。押込み部材31は，押込みプラグ31Ｂが１つではなく２つ設けられている点，およびフィルム押さえ板31Ｃの上面に頭部31Ｄに代えてシャフト72がつながっている点を除いて，図７に示す押込み部材31とほぼ同じである。押込み部材31のフィルム押さえ板31Ｃの底面（下面）の四隅が，４つのバネ76（図２３では２つのバネ76のみが示されている）を介して，矩形の枠状のフィルム固定具33につながっている。フィルム固定具33の枠部の底面（下面）にゴム部材34が取り付けられている。フィルム固定具33についても，図６に示すフィルム固定具33とその構造はほぼ同じである。
【００７７】
熱伝導ピン用エアシリンダ73のシャフト74は，フレーム28にあけられた貫通孔を通っており，その先端は平板状の熱伝導ピン固定具75の上面に固定されている。熱伝導ピン固定具75の底面（下面）から下向きに４本の熱伝導ピン32が下向きにのびている（図２３では４本の熱伝導ピン32のうちの２本が示されている）。上述した押込み部材31のフィルム押さえ板31Ｃには４本の熱伝導ピン32が通る貫通孔31Ａがあけられている。
【００７８】
図２４を参照して，押込み部材31用エアシリンダ71によってシャフト72が下向きに移動すると，シャフト72の先端に固定されている押込み部材31が下向きに移動し，上記押込み部材31にバネ76を介してつながっているフィルム固定具33も下向きに移動する。フィルム固定具33の下面のゴム部材34によって，フィルムシートＦＳの矩形切込み範囲の外側周囲が載置台60の枠部に押しつけられる。
【００７９】
図２５を参照して，押込み部材31用エアシリンダ71のシャフト72が下向きにさらに移動すると，押込み部材31の底面の２つの押込みプラグ31ＢがフィルムシートＦＳの矩形切込み範囲内の部分を下向きに押しながら，表枠体２の商品窓２Ａおよび裏枠体３の商品窓３Ａをそれぞれ通過し，載置台60に形成されている２つの凹部62（図２１参照）内にそれぞれ侵入する。このとき，フィルムシートＦＳからカット済フィルム４Ａが打ち抜かれる。また，カット済フィルム４Ａの周縁部の立ち上がりが，上方に位置するフィルム押さえ板31Ｃによって抑制される。２つの押込みプラグ31Ｂを２つの凹部62内にそれぞれ押込み続けると，カット済フィルム４Ａは凹部62内に滑りながら移動していき，カット済フィルム４Ａには押込みプラグ31Ｂの外形に沿う２つのポケットＰが，表枠体２の商品窓２Ａおよび裏枠体３の商品窓３Ａから外方に突出してそれぞれ形成される（図１８参照）。
【００８０】
図２６を参照して，次に熱伝導ピン用エアシリンダ73によってシャフト74が下向きに移動する。シャフト74の先端に固定されている熱伝導ピン固定具75が下向きに移動し，これに連動して熱伝導ピン固定具75の底面から下向きにのびる４本の熱伝導ピン32も下方に移動する。４本の熱伝導ピン32の先端がカット済フィルム４Ａを介して表枠体２の枠部および裏枠体３の枠部にそれぞれ押しつけられる。熱伝導ピン32の先端に電流が通されることで熱伝導ピン32の先端が発熱し，これによってカット済フィルム４Ａの四隅が表枠体２および裏枠体３の枠部に溶着によって接着される（図１８の符号ｎを参照）。なお，図２６では，２本の熱伝導ピン32とその下方のカット済フィルム４Ａが，押込みプラグ31Ｂの手前に存在するものとして示されている。
【００８１】
カット済フィルム４Ａの接着を終えると，押込み部材用エアシリンダ71によってシャフト72が元の位置にまで戻され，かつ熱伝導ピン用エアシリンダ73によってシャフト74が元の位置にまで戻される。またバネ76によって押込み部材31とフィルム固定具33の間隔も元に戻る。
【００８２】
図１９に戻って，商品５の形状に沿う形状の２つのポケットＰが形成され，かつ表枠体２および裏枠体３に接着されたカット済フィルム４Ａを備える台紙８Ａ（図１８参照）は，次に（ｆ）商品供給部に進む。表枠体２の商品窓２Ａから外方に突出しているポケットＰ内に商品５は入れられる。
【００８３】
次に（ｇ）折畳み部に進む。図１９を参照して，折畳み部はターンテーブル50の側方にターンテーブル50と垂直な向きに設けられた小径の円盤状の回転体91を備えている。回転体91の外側面の中心には外方にのびる回転軸96が固定されており，回転軸96にはたとえばインダクティブ・モータ（図示略）の回転軸が連結されている。モータからの回転力が回転軸96に伝達されることによって，回転体91は，次に説明するように所定角度の正回転および逆回転を行う。
【００８４】
図２７から図２９は上述した折畳み部を側方（上記回転軸96がわ）から見たもので，折畳み部の動作を示している。分かりやすくするために，図２７から図２９では台紙８Ａ，カット済フィルム４Ａおよび商品５の図示が省略され，回転体91が破断して示されている。
【００８５】
図２７を参照して，回転体91の内側面において，回転体91の中心から所定距離だけ離れた位置に，内方にのびる偏心軸93が固定されており，この偏心軸93に２つの折畳みバー92の末端が間隔をあけて固定されている（図１９を参照。図２７〜図２９には２つの折畳みバー92のうちの１つが示されている）。折畳みバー92は，末端が偏心軸93に固定されかつ直線状に伸びるアーム部92ａと，上記アーム部92ａの先端からほぼ垂直に曲がってわずかにのびる当接部92ｂを備える。図２７は上述したターンテーブル50が移動しているときの折畳みバー92の位置を示している。ターンテーブル50が移動しているとき，折畳みバー92はターンテーブル50と干渉しない（接触しない）ようにその全体がターンテーブル50の下方に位置する。
【００８６】
ポケットＰ内に商品５が入れられた台紙８Ａが載置された載置台60が折畳み部に到達し，ターンテーブル50の動作が一時停止されると，上記インダクティブ・モータが駆動されて上記回転体91が回転する（図２７〜図２９では反時計回り）。すると，図２８を参照して，回転体91の回転に伴って上記折畳みバー92の先端の当接部92ｂが載置台60の半体60Ｂの底面に当接する。
【００８７】
図２９を参照して，回転体91がさらに回転すると，折畳みバー92の当接部92ｂによって載置台60の半体60Ｂが持上げられ，上記半体60Ｂはヒンジ66を中心にして折り畳まれる。載置台60が折畳まれるのに伴って，載置台60上に載置されている台紙８Ａも折り線Ｌに沿って折畳まれる。折畳みを終えると，上記インダクティブ・モータは逆回転して回転体91は時計回りに回転する。折畳みバー92は元の待機位置（図２７）に戻される。
【００８８】
図１９に戻って，次に（ｈ）台紙シール部に進む。台紙シール部では，上記載置台60の半体60Ｂにあけられている４つの貫通孔63（図２１参照）のそれぞれに熱伝導ピン（図示略）が挿入され，裏枠体３の枠部に熱が加えられる。上述した（ｂ）ポケット形成およびフィルム接着部に含まれる熱伝導ピン用エアシリンダ73，熱伝導ピン固定具75および４本の熱伝導ピン32と同様の構成を台紙シール部に設けてもよい。いずれにしても熱伝導ピンによって熱が加えられることで表枠体２と裏枠体３の内がわ面同士が熱溶着される。好ましくは熱が加えられる表枠体２および裏枠体３の内がわ面の箇所にはあらかじめ熱可塑性樹脂を設けておく。表枠体２の内がわ面と裏枠体３の内がわ面とが固定されることで，商品５を包装した包装体１Ｃ（図１５〜図１７）が完成する。
【００８９】
最後に，折畳まれている載置台60の半体60Ｂが元の位置に戻され，（ｉ）包装商品排出部においてたとえばエア吸着によって包装体１Ｃがコンベア81上に排出される。
【００９０】
上述した包装体１Ｃの製造装置における製造工程においても，包装体１Ａの製造工程と同様に，押込み部材31の押込みプラグ31Ｂを商品窓２Ａ，３Ａのそれぞれを通して押込むことで，カット済フィルム４Ａに２つのポケットＰがつくられる。包装体１Ｃでは商品５は商品窓２Ａ，３Ａの両がわから反対方向にそれぞれ突出するので，カット済フィルム４Ａにつくられる２つのポケットＰの深さは上述のようにたとえば商品５の厚さの半分程度とされる。また，包装体１Ｃの製造においても，包装体１Ａの製造工程と同様に，フィルムシートＦＳに上記カット済フィルム４Ａの周縁に沿う間欠的な切込みｋが形成されているので，押込み部材31の押込みプラグ31Ｂを商品窓２Ａ，３Ａのそれぞれを通して押込むときに，同時にフィルムシートＦＳからカット済フィルム４Ａを打ち抜くことができる。もちろん，あらかじめ打ち抜かれたカット済フィルム４Ａを用いるようにしてもよい。
【００９１】
表枠体２に形成された商品窓２Ａと裏枠体３に形成された商品窓３Ａの両方を覆う大きさの一枚のカット済フィルム４Ａに代えて，表枠体２に形成された商品窓２Ａを覆うカット済フィルム４と，裏枠体３に形成された商品窓３Ａを覆う別のカット済フィルム４の，二枚のカット済フィルム４を用いることもできる。さらに包装体１Ａと包装体１Ｂとの関係と同様に，包装体１Ｃについても，表枠体２と裏枠体３とを折り線Ｌでつなげておく必要は必ずしもなく，それぞれ別体のものであってもよい。
【００９２】
さらに，表枠体２および裏枠体３のそれぞれに商品窓２Ａ，３Ａを有する包装体１Ｃについても，包装体１Ａについての製造工程の変形例で説明したのと同様にして，押込みプラグ31Ｂに代えて商品５自体を用いてポケットＰを形成してもよい。
【００９３】
また，表枠体２の商品窓２Ａから外方に突出するポケットＰのみをあらかじめ形成して，裏枠体３の商品窓３Ａから外方に突出するポケットＰはあらかじめ形成しておかないようにすることもできる。この場合には，図３０に示すように，カット済フィルム４Ａを表枠体２のポケットＰの周縁のみに接着し（符号ｎが接着部を示している），裏枠体３には接着しないでおく。表枠体２の商品窓２Ａの位置に形成されたポケット２Ａに商品５が半分だけ収納されている状態で裏枠体３が折り畳まれると，商品５自体によってカット済フィルム４が押されて裏枠体３の商品窓３Ａを通して外方に突出し，商品５の収納と同時に裏枠体３の商品窓３Ａから外方に突出するポケットＰが形成される。この場合には，表枠体２と裏枠体３とを接着するときに，同時にカット済フィルム４Ａは裏枠体３の枠部に接着される。
【００９４】
上述した実施例では商品窓２Ａ，３Ａから外方に突出する商品５の全体がカット済フィルム４，４Ａによって覆われているが，たとえばカット済フィルム４，４Ａを帯状に形成し，商品５の一部（商品５の長手方向の中央部分，商品５の長手方向の両端部分など）のみをカット済フィルム４，４Ａによって覆うようにしてもよい。
【符号の説明】
【００９５】
１Ａ，１Ｂ，１Ｃ  包装体
２  表枠体
３  裏パネル体（裏枠体）
２Ａ，３Ａ  商品窓
４，４Ａ  カット済フィルム
５  商品
８，８Ａ  台紙
31  押込み部材
31Ｂ  押込みプラグ（押込み型）
31Ｃ  フィルム押さえ板
ｋ  切込み
ｔ  つなぎ部
Ｌ  折り線
Ｐ  ポケット（収納部）
ＦＳ  フィルムシート
（ｂ）ポケット形成およびフィルム接着部
（ｃ）フィルム供給部
（ｈ）台紙シール部
【図１】
2014129114.tif 000003
【図２】
2014129114.tif 000004
【図３】
2014129114.tif 000005
【図４】
2014129114.tif 000006
【図５】
2014129114.tif 000007
【図６】
2014129114.tif 000008
【図７】
2014129114.tif 000009
【図８】
2014129114.tif 000010
【図９】
2014129114.tif 000011
【図１０】
2014129114.tif 000012
【図１１】
2014129114.tif 000013
【図１２】
2014129114.tif 000014
【図１３】
2014129114.tif 000015
【図１４】
2014129114.tif 000016
【図１５】
2014129114.tif 000017
【図１６】
2014129114.tif 000018
【図１７】
2014129114.tif 000019
【図１８】
2014129114.tif 000020
【図１９】
2014129114.tif 000021
【図２０】
2014129114.tif 000022
【図２１】
2014129114.tif 000023
【図２２】
2014129114.tif 000024
【図２３】
2014129114.tif 000025
【図２４】
2014129114.tif 000026
【図２５】
2014129114.tif 000027
【図２６】
2014129114.tif 000028
【図２７】
2014129114.tif 000029
【図２８】
2014129114.tif 000030
【図２９】
2014129114.tif 000031
【図３０】
2014129114.tif 000032